(57)【特許請求の範囲】
【請求項１】
包装媒体が円筒状に巻かれた包装媒体巻回体を収納する、一面が開口された容器本体であって、前記一面に対向する底板と、前記底板の一辺に立設された前板と、前記一辺に対向する前記底板の他の一辺に立設された後板とを有する容器本体と；
前記底板の他の一辺に対向する連接辺を有し、前記連接辺において前記後板に回動可能に連接され、前記開口された一面を塞ぐよう構成された蓋板と、
前記連接辺に対向する前記蓋板の一辺に立設され、前記蓋板が前記一面を塞いだ状態のとき、前記前板に重なるよう配置された蓋前板とを有する蓋本体と；
前記蓋板の一辺に対向する前記蓋前板の一辺に断続的に形成された切込線を介して前記蓋前板に連接される開封片とを備え；
前記前板は、前記底板の一辺に平行に配置された複数の接着エリアを有し；
前記開封片は、前記開封片の裏側または前記複数の接着エリア上に塗布された接着剤により前記複数の接着エリアに接着され；
前記開封片は、開封が開始される開封開始部を有し、前記開封開始部を起点に、前記切込線から分離されるとともに、前記複数の接着エリアから剥離されるように構成され；
前記連接辺に沿った方向の前記前板の中央部において前記前板を前記方向に直角に横断する中心線と、前記前板の前記方向の端との間で、前記中心線に隣り合わせに配置された第２の接着エリアが、前記前板の前記端に隣り合わせに配置された第１の接着エリアよりも小さく形成され；
前記複数の接着エリアには、ニックを残して前記複数の接着エリアの外縁を囲むように半切り線がそれぞれ形成され；
前記ニックは、前記接着エリアの外縁上にあり、前記開封片の前記開封開始部が配置される側の端に重なる前記前板の前記端に対向する側であって、前記底板の一辺に対向する側に設けられた；
包装媒体収納容器。
【請求項２】
前記複数の接着エリアは、前記前板の前記端から前記中心線に向かうにしたがい、徐々に小さく形成された；
請求項１に記載の包装媒体収納容器。
【請求項３】
包装媒体が円筒状に巻かれた包装媒体巻回体を収納する、一面が開口された容器本体であって、前記一面に対向する底板と、前記底板の一辺に立設された前板と、前記一辺に対向する前記底板の他の一辺に立設された後板とを有する容器本体と；
前記底板の他の一辺に対向する連接辺を有し、前記連接辺において前記後板に回動可能に連接され、前記開口された一面を塞ぐよう構成された蓋板と、
前記連接辺に対向する前記蓋板の一辺に立設され、前記蓋板が前記一面を塞いだ状態のとき、前記前板に重なるよう配置された蓋前板とを有する蓋本体と；
前記蓋板の一辺に対向する前記蓋前板の一辺に断続的に形成された切込線を介して前記蓋前板に連接される開封片とを備え；
前記前板は、前記底板の一辺に平行に配置された複数の接着エリアを有し；
前記開封片は、前記開封片の裏側または前記複数の接着エリア上に塗布された接着剤により前記複数の接着エリアに接着され；
前記開封片は、開封が開始される開封開始部を有し、前記開封開始部を起点に、前記切込線から分離されるとともに、前記複数の接着エリアから剥離されるように構成され；
前記複数の接着エリアには、ニックを残して前記複数の接着エリアの外縁を囲むように半切り線がそれぞれ形成され；
前記ニックは、前記接着エリアの外縁上にあり、前記開封片の前記開封開始部が配置される側の端に重なる前記前板の端に対向する側であって、前記底板の一辺に対向する側に設けられた；
包装媒体収納容器。
【請求項４】
請求項１乃至請求項３のいずれか１項に記載の包装媒体収納容器と；
前記包装媒体が円筒状に巻かれた前記包装媒体巻回体とを備える；
包装媒体供給具。
【発明の詳細な説明】
【技術分野】
【０００１】
本発明は、ロール状に巻かれた包装媒体、例えば、包装媒体に代表される樹脂製ラップフィルムやロール紙、アルミホイル等を包装するための包装媒体を収納するために好適な包装媒体収納容器に関し、特に、開封片が連接する部分に切込線が形成され、切込線から開封片を切り離すことで開封する包装媒体収納容器に関するものである。
【背景技術】
【０００２】
図６（Ａ）、（Ｂ）に従来の包装媒体供給具１０１を示す。図６（Ａ）は開封前の開封片１２６が除去されていない状態の包装媒体供給具１０１を示し、図６（Ｂ）は、開封片１２６を除去して開封し、蓋本体１２０を開けた状態の包装媒体供給具１０１を示す。
【０００３】
従来の包装媒体供給具１０１は、包装媒体巻回体１０２（図６（Ｂ）に破線で表示）（以下、適宜、巻回体１０２）と、巻回体１０２を収納する包装媒体収納容器１０３（以下、適宜、収納容器１０３）とを含んで構成される（例えば、特許文献１参照）。巻回体１０２は、食品包装用等に使用される包装媒体１１２を円筒状の巻芯（不図示）に巻きつけて巻回体１０２としたものである。巻回体１０２は、細長い直方体形状である紙製（コートボール紙）の収納容器１０３の中に収納される。
【０００４】
収納容器１０３は、一面全体に渡って開口している一面１３０を、図中、上部に有する容器本体１１５と、容器本体１１５の開口している一面１３０を覆って蓋をするように形成され、一端が容器本体１１５に回動可能に連接された蓋本体１２０と、開封片１２６とを含んで構成されている。
【０００５】
容器本体１１５は、底板１０４と、前板１０５とを有する。蓋本体１２０は、蓋本体１２０が開口している一面１３０を塞いだときに、前板１０５に重なる蓋前板１２３を有する。開封片１２６は蓋前板１２３の一辺に断続的に形成された切込線１２５（図６（Ａ）に一点鎖線で表示）を介して蓋前板１２３に連接される。蓋前板１２３の一辺には、切込線１２５に重ねてカッター１２４が取り付けられている。カッター１２４は、切込線１２５を超えて底板１０４側に張り出して形成され、開封片１２６を除去したときに収納容器１０３から引き出した包装媒体１１２を切断できるように構成されている。
【０００６】
なお、一般的に、容器本体１１５には、容器本体１１５の前板１０５に設けられた接着エリア１３４を除いて剥離オーバープリントニスで表面を塗工させることになる。そして、容器本体１１５と蓋本体１２０とを密閉させるためには、開封片１２６の裏側にライン状に接着剤を施し、該施した接着剤を介して容器本体１１５と、蓋本体１２０に連接された開封片１２６と、を接着させることになる。そして、開封片１２６を容器本体１１５から切り離すことで、蓋本体１２０が容器本体１１５に対して回動可能な状態を構築することになる。
【先行技術文献】
【特許文献】
【０００７】
【特許文献１】特開平５−９７１３９号公報
【発明の概要】
【発明が解決しようとする課題】
【０００８】
しかし、開封の際、開封片１２６を剥ぎ取った場合、前板１０５の接着エリア１３４の表面が剥ぎ取られ、接着エリア１３４の表面を除いた部分が露出するので見栄えが良くなく、見栄えを良くしてほしいとの要望があった。また、開封片１２６を剥ぎ取った場合、力を更に増加させることなく、開封片１２６の半分以上の剥ぎ取りが一気にでき、開封片１２６を剥ぎ取ることの負担を軽減できるようにしてほしいとの要望があった。また同時に、開封片の剥ぎ取りの負担を軽減しながらも、輸送時等における衝撃等によって、開封片が外れてしまわないようにするための工夫も必要とされていた。
【０００９】
そこで、本発明は、開封の際、開封片を剥ぎ取った場合、接着エリアの表面が剥ぎ取られるが、この表面が剥ぎ取られる接着エリアの合計面積を少なくし、見栄えをよくすることができ、開封片の剥ぎ取りに際し、力を増加させることなく、開封片の半分以上の剥ぎ取りが一気にでき、開封片を剥ぎ取ることの負担を軽減できる包装媒体収納容器であり、かつ、使用開始時以外の輸送時等の衝撃等によって開封片が外れてしまわない包装媒体収納容器を提供することを目的とする。
【課題を解決するための手段】
【００１０】
上記目的を達成するために、本発明の第１の態様に係る包装媒体収納容器３は、例えば図１（Ａ）、（Ｂ）、図２に示すように、包装媒体１２が円筒状に巻かれた包装媒体巻回体２を収納する、一面３０が開口された容器本体１５であって、一面３０に対向する底板４と、底板４の一辺３１に立設された前板５と、一辺３１に対向する底板４の他の一辺３２に立設された後板６とを有する容器本体１５と；底板４の他の一辺３２に対向する連接辺３９を有し、連接辺３９において後板６に回動可能に連接され、開口された一面３０を塞ぐよう構成された蓋板２２と、連接辺３９に対向する蓋板２２の一辺４０に立設され、蓋板２２が一面３０を塞いだ状態のとき、前板５に重なるよう配置された蓋前板２３とを有する蓋本体２０と；蓋板２２の一辺４０に対向する蓋前板２３の一辺４６に断続的に形成された切込線２５を介して蓋前板２３に連接される開封片２６とを備え；前板５は、底板４の一辺３１に平行に配置された複数の接着エリア３４を有し；開封片２６は、開封片２６の裏側または複数の接着エリア３４上に塗布された接着剤により複数の接着エリア３４に接着され；開封片２６は、開封が開始される開封開始部５５を有し、開封開始部５５を起点に、切込線２５から分離されるとともに、複数の接着エリア３４から剥離されるように構成され；連接辺３９に沿った方向Ｘの前板５の中央部において前板５を方向Ｘに直角に横断する中心線４５と、前板５の方向Ｘの端３５との間で、中心線４５に隣り合わせに配置された第２の接着エリア３４−３が、前板５の端３５に隣り合わせに配置された第１の接着エリア３４−１よりも小さく形成される。
【００１１】
このよう構成にすると、連接辺に沿った方向の前板の中央部において前板を前記方向に直角に横断する中心線と、前板の前記方向の端との間で、中心線に隣り合わせに配置された第２の接着エリアが、前板の前記方向の端に隣り合わせに配置された第１の接着エリアよりも小さく形成されているので、開封の際、開封片を開封開始部を起点に切込線から分離した場合、開封片が接着されていた前板の接着エリアの表面が剥ぎ取られるが、この表面が剥ぎ取られる接着エリアの合計面積が少なくなっているので、見栄えをよくすることができる。さらに開封片の剥ぎ取りに際し、力を増加させることなく、開封片の半分以上の剥ぎ取りを一気に行うことができ、開封片を剥ぎ取ることの負担を軽減できる包装媒体収納容器であり、かつ、使用開始時以外の輸送時等の衝撃等によって開封片が外れてしまわない包装媒体収納容器とすることができる。
【００１２】
本発明の第２の態様に係る包装媒体収納容器３は、例えば図１（Ａ）に示すように、第１の態様の包装媒体収納容器において、複数の接着エリア３４は、前板５の方向Ｘの端３５から中心線４５に向かうにしたがい、徐々に小さく形成される。
【００１３】
このように構成すると、開封片の半分以上の剥ぎ取りを確実に一気に行うことができる。
【００１４】
本発明の第３の態様に係る包装媒体収納容器３は、例えば図１（Ａ）、図２、図４に示すように、第１または第２の態様の包装媒体収納容器において、複数の接着エリア３４には、ニック３７を残して複数の接着エリア３４の外縁を囲むように半切り線３６がそれぞれ形成され；ニック３７は、接着エリア３４の外縁上にあり、開封片２６の開封開始部５５が配置される側の端２７に重なる前板５の端３５に対向する側であって、底板５の一辺３１に対向する側に設けられる。
【００１５】
このように構成すると、接着エリアの外縁の全周を半切り線が囲むように形成されている場合と相違し、包装媒体容器の組立時や運搬時などに包装媒体容器に衝撃が加わった際、接着エリア全体に包装媒体収納容器の素材の層間剥離が起こらないようにし、開封片が接着エリアから剥離してしまうのを、ニックを残して接着エリアの外縁を囲むように形成した半切り線により、より確実に防ぐことができる。
また、複数の接着エリアには、ニックを残して複数の接着エリアの外縁を囲むように半切り線がそれぞれ形成されているので、ニックの寸法を調整することにより開封片を剥ぎ取るのに必要な力を調整することができる。ニックは、開封片が接着エリアから剥ぎ取られる方向（開封片の開封開始部が設置される側の一方の端に重なる前板の一方の端から、前板の対向する他方の端に包装媒体収納容器の軸方向（長手方向）に沿って進む方向）によって決められる。
【００１６】
本発明の第４の態様に係る包装媒体収納容器３は、例えば図１（Ａ）、図２、図４に示すように、包装媒体１２が円筒状に巻かれた包装媒体巻回体２を収納する、一面３０が開口された容器本体１５であって、一面３０に対向する底板４と、底板４の一辺３１に立設された前板５と、一辺３１に対向する底板４の他の一辺３２に立設された後板６とを有する容器本体１５と；底板４の他の一辺３２に対向する連接辺３９を有し、連接辺３９において後板６に回動可能に連接され、開口された一面３０を塞ぐよう構成された蓋板２２と、連接辺３９に対向する蓋板２２の一辺４０に立設され、蓋板２２が一面３０を塞いだ状態のとき、前板５に重なるよう配置された蓋前板２３とを有する蓋本体２０と；蓋板２２の一辺４０に対向する蓋前板２３の一辺に断続的に形成された切込線２５を介して蓋前板２３に連接される開封片２６とを備え；前板５は、底板４の一辺３１に平行に配置された複数の接着エリア３４を有し；開封片２６は、開封片２６の裏側または複数の接着エリア３４上に塗布された接着剤により複数の接着エリア３４に接着され；開封片２６は、開封が開始される開封開始部５５を有し、開封開始部５５を起点に、切込線２５から分離されるとともに、複数の接着エリア３４から剥離されるように構成され；複数の接着エリア３４には、ニック３７を残して複数の接着エリア３４の外縁を囲むように半切り線３６がそれぞれ形成され；ニック３７が、接着エリア３４の外縁上にあり、開封片２６の開封開始部５５が配置される側の端２７に重なる前板５の端３５に対向する側であって、底板４の一辺３１に対向する側に設けられる。
【００１７】
このように構成すると、接着エリアの外縁の全周を半切り線が囲むように形成されている場合と相違し、包装媒体容器の組立時や運搬時などに包装媒体容器に衝撃が加わった際、接着エリア全体に包装媒体収納容器の素材の層間剥離が起こらないようにし、開封片が接着エリアから剥離してしまうのを、ニックを残して接着エリアの外縁を囲むように形成した半切り線により、より確実に防ぐことができる。包装媒体収納容器の素材は、例えば、コートボール紙である。
【００１８】
また、複数の接着エリアには、ニックを残して複数の接着エリアの外縁を囲むように半切り線がそれぞれ形成されているので、ニックの寸法を調整することにより開封片を剥ぎ取るのに必要な力を調整することができる。ニックの位置は、開封片が接着エリアから剥ぎ取られる方向（開封片の開封開始部が配置される側の端に重なる前板の端から、前板の対向する他方の端へ包装媒体収納容器の軸方向（長手方向）に沿って進む方向）によって決められる。
【００１９】
上記目的を達成するために、本発明の第５の態様に係る包装媒体供給具１は、例えば図１（Ａ）に示すように、第１の態様乃至第４の態様のいずれか１の態様の包装媒体収納容器３と；包装媒体１２が円筒状に巻かれた包装媒体巻回体２とを備える。
【発明の効果】
【００２０】
以上説明したように、本発明の包装媒体収納容器によれば、連接辺に沿った方向の前板の中央部において前板を前記方向に直角に横断する中心線と、前板の前記方向の端との間で、中心線に隣り合わせに配置された第２の接着エリアが、前板の前記方向の端に隣り合わせに配置された第１の接着エリアよりも小さく形成されているので、開封の際、開封片を開封開始部を起点に切込線から分離した場合、開封片が接着されていた前板の接着エリアの表面が剥ぎ取られるが、この表面が剥ぎ取られる接着エリアの合計面積が少なくなっているので、見栄えをよくすることができる。さらに開封片の剥ぎ取りに際し、力を増加させることなく、開封片の半分以上の剥ぎ取りを一気に行うことができ、開封片を剥ぎ取ることの負担を軽減できる包装媒体収納容器であり、かつ、使用開始時以外の輸送時等の衝撃等によって開封片が外れてしまわない包装媒体収納容器とすることができる。
【図面の簡単な説明】
【００２１】
【図１】（Ａ）は、本発明の実施の形態に係る、包装媒体収納容器を備える包装媒体供給具の斜視図である。（Ｂ）は、（Ａ）に示す包装媒体収納容器の長手方向に直角な方向の包装媒体供給具の断面図である。
【図２】図１（Ａ）に示す包装媒体収納容器の蓋板を閉じた状態の包装媒体供給具の斜視図である。
【図３】図１（Ａ）に示す包装媒体収納容器の開封片を途中まで開封した図である。
【図４】図１（Ａ）に示す前板の接着エリアを拡大した斜視図である。
【図５】接着エリアの中心とニックの中心を結んだ線が、前板の端および底板の一辺となす角度の関係を説明する図である。
【図６】（Ａ）は、開封前の従来の包装媒体供給具の斜視図である。（Ｂ）は、開封後の従来の包装媒体供給具の斜視図である。
【発明を実施するための形態】
【００２２】
以下、本発明の実施の形態について、図面を参照して説明する。なお、各図において互いに同一あるいは相当する部材には同一の符号を付し、重複した説明は省略する。
【００２３】
図１（Ａ）、（Ｂ）を参照して、実施の形態に係る、包装媒体収納容器３を備える包装媒体供給具１の構成を説明する。図１（Ａ）は、水平に配置された状態の包装媒体供給具１の斜視図であり、図１（Ｂ）は、図１（Ａ）の包装媒体収納容器３の長手方向中央部における長手方向（軸方向）Ｘに直角な方向の断面図である。図１（Ａ）では、後述の蓋板２２は、開いた状態であり、図１（Ｂ）では、蓋板２２は、部分的に閉まっている状態であり（すなわち、蓋板２２が底板４に平行になっていない）、また後述の包装媒体１２を包装媒体収納容器３から引き出した状態が示されている。
【００２４】
包装媒体供給具１は、包装媒体巻回体２（以下、適宜、巻回体２）と、巻回体２を収納する包装媒体収納容器３（以下、適宜、収納容器３）とを含んで構成される。巻回体２は、食品包装用等に使用される包装媒体１２を円筒状の巻芯１０に巻きつけて巻回体２としたものである。巻回体２は、細長い直方体形状である紙製の収納容器３の中に収納される。包装媒体供給具は、一般に、コートボール紙のような表面側に白色系の表層、裏面側に古紙から再生された古紙層を有する厚紙から作られており、本実施の形態の包装媒体供給具１もコートボール紙から作られている。
【００２５】
収納容器３は、容器本体１５を備える。容器本体１５は、包装媒体１２が円筒状に巻かれた巻回体２を収容し、一面３０が開口され、当該開口された一面３０から巻回体２を出し入れすることができる。巻芯１０に巻かれた包装媒体１２は、ポリ塩化ビニリデンを原材料とする透明フィルムであるが、ポリ塩化ビニル、ポリエチレン、ポリメチルペンテン、もしくはこれらを組み合わせた多層包装媒体であってもよい。また、包装媒体１２は、ロール紙、キッチンペーパ、加熱用調理用紙シート、アルミホイル等であってもよい。容器本体１５は、図１（Ａ）中、底板４と、底板４の一辺３１（長辺）に底板４に対し直角に立設された前板５と、一辺３１に対向する底板４の他の一辺３２（長辺）に底板４に対し直角に立設された後板６と、底板４の一辺３１に対向する第１の連接辺３８を有する副前板７を有する。底板４は、一面３０に対向するよう配置されている。副前板７は、第１の連接辺３８において前板５に連接される。底板４、前板５、後板６、蓋板２２は、長方形である。前板５は、後板６に対向する側の第１の面８と、第１の面８の反対側の第２の面９とを有する。蓋前板２３は、蓋板２２が一面３０を塞いだ状態のとき、前板５の第２の面９に沿って第２の面９に重なる。前板５は、第１の連接辺３８に沿った方向Ｘの前板５の中央部において、前板５を第１の連接辺３８に沿った方向Ｘに対して直角に横断する中心線４５（図１（Ａ）に一点鎖線にて表示）を有する。第１の面８が、前板５の容器本体１５の内側の面（容器本体１５の巻回体２が収納されている側の面）、第２の面９が、前板５の容器本体１５の外側の面である。
【００２６】
底板４は長辺である一辺３１および他の一辺３２に加えて、短辺６１、６２を有する。容器本体１５は、側面板７１、７２を有する。側面板７１、７２は、それぞれ短辺６１、６２に立設されている。側面板７１、７２は略正方形である。
【００２７】
収納容器３は、さらに蓋本体２０を備え、蓋本体２０は、蓋板２２と、蓋前板２３とを有する。蓋板２２は、底板４の他の一辺３２に対向する第２の連接辺３９を有し、第２の連接辺３９において後板６に回動可能に連接され、開口された一面３０を塞ぐよう構成される。蓋前板２３は、第２の連接辺３９に対向する蓋板２２の一辺４０に立設され、さらに蓋板２２に対して直角に立設され、蓋板２２が一面３０を塞いだ状態のとき、前板５に沿って前板５の外側に重なるよう配置される。
【００２８】
蓋板２２は長辺である第２の連接辺３９と一辺４０に加えて、短辺６３、６４を有する。容器本体１５は、蓋側面板７３、７４を有する。蓋側面板７３、７４は、それぞれ短辺６３、６４に立設されている。蓋側面板７３、７４は略長方形である。
【００２９】
蓋前板２３には、蓋板２２の一辺４０に対向する一辺４６がＶ字形状に形成されている。当該Ｖ字形状は、第２の連接辺３９に沿った方向Ｘの蓋前板２３の中央部において蓋板２２の一辺４０から遠ざかる方向に出っ張るよう形成されている。蓋前板２３には、包装媒体１２を切断するカッター２４であって、蓋板２２の一辺４０から遠ざかる方向にＶ字形状からはみ出し、Ｖ字形状に沿って配置されたカッター２４が取り付けられている。
【００３０】
次に、さらに図２、図３をも参照して開封前の包装媒体供給具１の構成を説明する。図２は、図１（Ａ）に示す収納容器３の蓋板２２を閉じた状態の開封前の包装媒体供給具１の斜視図である。図３は、図２に示す収納容器３の開封片２６を途中まで開封した図である。
【００３１】
収納容器３は、開封片２６を備え、開封片２６は、蓋板２２の一辺４０に対向する蓋前板２３の一辺４６に断続的に切り込みが形成された切込線２５を介して蓋前板２３に連接されている。開封片２６は、前板５の第２の面９に沿って第２の面９に重なるように配置されている。切込線において断続的に切り込みが形成されているとは、切込線２５に切り込みが一定の間隔で繰り返し形成されていることをいう。切込線２５において切り込みと切り込みとの間は切り込みは形成されていないが、開封のため開封片２６を引っ張ることにより、この切り込みが形成されていない部分が破壊され、開封片２６は蓋前板２３より分離する。開封片２６は、図２中、右側の端（短辺）２７の側に印刷部５３を有する。開封片２６の印刷部５３には矢印５４が印刷されている。矢印５４は、開封片２６の開封を開始する開封開始部５５を示し、印刷部５３が同時に開封開始部５５である。
【００３２】
前板５は、前板５の容器本体１５の外側に対応する面に、底板４の一辺３１に平行に配置された複数（図２中、６個）の接着エリア３４を有する。接着エリア３４は、前板５の第２の面９の蓋前板２３に重ならない部分に配置されている。接着エリア３４は円形である。前板５の容器本体１５の外側に対応する面とは、前板５の容器本体１５の巻回体２を収納する側（内側）とは反対側の面をいう。接着エリア３４が底板４の一辺３１に平行に配置されるとは、接着エリア３４の各中心４２（図５）が底板の一辺３１に平行に配置されていることをいう。接着エリア３４のうち、前板５の端（短辺）３５に隣り合わせに配置されたものを第１の接着エリア３４−１といい、前板の中心線４５に隣り合わせに配置されたものを第２の接着エリア３４−３という。第１の接着エリア３４−１と第２の接着エリア３４−３との間にある接着エリアを符号３４−２で表す。
【００３３】
開封片２６の裏側（前板５の第２の面９に沿って対向する面側）には、底板４の一辺３１に平行に開封片２６の長手方向Ｘの一方の端２７から他方の端２７まで帯状の接着部４１が設けられ、接着剤が塗られている。接着部４１の幅は１１ｍｍであり、接着エリア３４が接着部４１の部分に当たるように構成されている。接着剤としては、酢酸ビニル樹脂水性エマルジョン、変性酢酸ビニル−アクリル樹脂共重合体または酢酸ビニル−アクリル樹脂共重合体等をあげることができる。なお、図１（Ａ）中、開封片２６の端２７は前板５の端３５に重なる（図２、図３において同じ）。
【００３４】
接着エリア３４は、開封片２６の端２７から中央に向かって、それぞれ、９ｍｍ、７ｍｍ、５ｍｍの直径を有する。すなわち、複数の接着エリア３４は、前板５の底板４の一辺３１に沿った方向Ｘ（第２の連接辺３９に沿った方向Ｘでもある）に前板５の端３５から前板５の中心線４５に向かうにしたがい、徐々に小さく形成されている。また、接着エリア３４は、第１の連接辺３８に沿った方向Ｘの前板５の中央部において、前板５を第１の連接辺３８に沿った方向Ｘに対して直角に横断する中心線４５と、前板５の第１の連接辺３８に沿った方向Ｘの端３５との間で、中心線４５に隣り合わせに配置された第２の接着エリア３４−３（直径は５ｍｍ）が、前板５の第１の連接辺３８に沿った方向Ｘの端３５に隣り合わせに配置された第１の接着エリア３４−１（直径９ｍｍ）よりも小さく形成されている。第１の接着エリア３４−１は、接着エリア３４の中で、第１の連接辺３８に沿った方向Ｘに関して、端３５に最も近く配置されている。第２の接着エリア３４−３は、接着エリア３４の中で、第１の連接辺３８に沿った方向Ｘに関して、中心線４５に最も近く配置されている。収納容器３は、複数の接着エリア３４の大きさ、複数の接着エリア３４の底板４の一辺３１からの距離を調整することにより、蓋板２２の一辺４０から、蓋前板２３の中央部の頂点４４までの蓋前板２３の長さＨを調整することができる。本実施の形態では、包装媒体１２を使用に際し切断したときに、蓋前板２３の長さＨを長くすることができるので（例えば、最大長さと最大長さの７０％の間の長さ）、包装媒体１２が収納容器３内に巻き戻りにくい構造とすることができる。
【００３５】
なお、底板４の一辺３１、他の一辺３２、第１の連接辺３８、第２の連接辺３９、蓋板２２の一辺４０は、互いに平行である。
【００３６】
前板５の接着エリア３４を除く部分であって、接着部４１が当たる部分には、接着防止用の透明塗料が塗布されている。すなわち、接着エリア３４には接着防止用の透明塗料は塗布されない。したがって、開封片２６は接着エリア３４の部分で前板５に接着される。上述のように接着剤は開封片２６の方に塗布するとして説明したが、接着エリア３４の部分に塗布するようにしてもよい。この場合、接着剤の使用量を少なくすることができ、また接着防止用の透明塗料を使用する必要がなくなる。
【００３７】
図４、図５を参照して、接着エリア３４についてさらに説明する。前板５の外側にある接着エリア３４には、ニック３７を残して接着エリア３４の外縁（円形の縁）を囲むように半切り線３６がそれぞれ形成されている。ニック３７は、接着エリア３４の外縁の、開封片２６の開封に際し使用者につままれる一方の端２７（図２中、右側）に重なる前板５の一方の端３５（図４中、右側）に対向する側であって、底板４の一辺３１に対向する側に設けられる。例えば、接着エリア３４の中心４２とニック３７の中心４３を結んだ線Ｌが、端３５に平行な線Ｍおよび一辺３１に平行な線Ｎに対して４５度の角度をなすように設けるとよい。
【００３８】
ニック３７は、図５中、接着エリア３４の外縁を構成する円の３時方向（端３５に直角な方向）と６時方向（一辺３１に直角な方向）の間に形成される。開封片２６の端２７は、開封前は前板５の端３５に隣り合わせに配置されている。なお、図５においては、１２時（０時）方向が上側である。半切り線３６とは、接着エリア３４の外縁を囲むようにニック３７を残して連続的に切り込みが入れられた線であり、ニック３７には半切り線は形成されておらず、切り込みが入れられていない。開封片２６は、開封前の使用者につままれる開封開始部５５がある側である一方の端２７から、他方の端２７に向かう方向、すなわち開封片２６の開封開始部５５が設置される側の一方の端２７に重なる前板５の一方の端３５から、前板５の対向する他方の端３５に収納容器３の軸方向Ｘ（長手方向Ｘ）に沿って進む方向に剥ぎ取られる。
【００３９】
ニック３７は、図５中、接着エリア３４の外縁の右半分の位置のどこかに設ける（条件１）。図５中、右から左方向に開封片２６（図３）を前板５から剥ぎ取っていくので、左半分にニック３７を設けると、ニック３７から収納容器３（図３）の素材の紙の表面層を細く引きずる現象が起こり、表面層に隣接する素材の層（例えば、古紙層）がむき出しになり見栄えが悪くなる可能性があるからである。ニック３７は、接着エリア３４の外縁の、図５中、下半分の位置のどこかに設ける（条件２）。製品の検品等の際、開封片２６を蓋前板２３（図３）から切り取らずに、図５中、下から、接着エリア３４のみを前板５から外すことがある。その際、ニック３７が、図５中、上半分にあると、前述同様にニック３７から紙の表面を細く引きずる現象が起こる可能性があるからである。条件１および条件２を満たすために、ニック３７は、前述のように、接着エリア３４の外縁を構成する円の３時方向と６時方向の間のどこかの位置に設ける。ニック３７は、好ましい実施の形態では、前述のとおり、図５中、右斜め下４５度の位置に設け、さらに全てのニック３７について同じ位置に設けるとよい。
【００４０】
図１（Ａ）、図１（Ｂ）、図２を参照して、実施の形態の作用について説明する。
包装媒体供給具１の使用者は、まず包装媒体供給具１の開封を行う。
使用者は収納容器３を片手で持ち、もう一方の手で収納容器３の開封片２６の一方の端２７（開封開始部５５がある側の端２７）をつまみ、切込線２５を破壊して開封片２６を引っ張る。これにより開封片２６は前板の接着エリア３４から剥離され、蓋前板２３より分離され、包装媒体供給具１は開封される。剥離および分離はつままれた端に近い方の接着エリア３４から起こり、順次前板５の中央部に近い接着エリア３４に向かって起こる。接着エリア３４の面積は端に近い方から中央部に向かうほど小さく形成されているので、開封片２６を引っ張る力を増加させることなく、開封片２６の半分以上の剥ぎ取りを一気に行うことができ、開封片２６を剥ぎ取ることの負担を軽減できる。通常は手を動かす動きの慣性により、最初の接着エリア３４（つままれた端２７に最も近い接着エリア３４）から始めて、最後の接着エリア３４（つままれた端２７の反対側の端２７に最も近い接着エリア３４）まで一気に、接着エリア３４から開封片２６を剥離させることができる。なお、開封片２６を蓋前板２３より分離する力より、開封片２６を前板５の接着エリア３４から剥離する力の方が大きな力を要する。
【００４１】
接着エリア３４は、前板５の端３５から中央部に向かうに従い小さく形成されているので、表面が剥ぎ取られた接着エリア３４の合計面積が、前板の端３５から一定で同じ大きさで形成されている場合と比較して、少なく形成されているので、見栄えを良くすることができる。
【００４２】
開封片２６を剥ぎ取った後に、蓋本体２０を開け、包装媒体１２を必要な長さだけ、容器本体１５から引き出し、再び蓋本体２０を閉め、カッター２４にて包装媒体１２を切断して、使用する。
【００４３】
実施の形態に係る包装媒体収納容器３によれば、接着エリア３４は、連接辺に沿った方向Ｘの前板５の中央部において、前板５の長手方向Ｘ（第２の連接辺３９に沿った方向Ｘ）の端３５に最も近い接着エリア３４よりも小さく形成されているので、開封の際、開封片２６を剥ぎ取った場合、前板５の接着エリア３４の表面が剥ぎ取られ、表面が剥ぎ取られた部分が露出するが、接着エリア３４の合計面積が少なくなっているので、見栄えをよくすることができ、さらに開封片２６の剥ぎ取りに際し、力を増加させることなく、開封片２６の半分以上の剥ぎ取りを一気に行うことができ、開封片２６を剥ぎ取ることの負担を軽減できる収納容器３であり、かつ、使用開始時以外の輸送時等の衝撃等によって開封片が外れてしまわない包装媒体収納容器とすることができる。接着エリア３４の表面とは、収納容器３の素材の表面層をいい、表面が剥ぎ取られるとは、表面層（例えば、透明または白色層）が剥ぎ取られ（表面層の剥離）、表面層に隣接する素材の層（例えば、古紙層）がむき出しになることをいう。なお、本明細書において収納容器３の長手方向Ｘ、開封片２６の長手方向Ｘ、前板５の長手方向Ｘは、連接辺３８、３９に沿った方向Ｘ、底板４の一辺３１に沿った方向Ｘは、同じ方向である。
【符号の説明】
【００４４】
１  包装媒体供給具
２  包装媒体巻回体
３  包装媒体収納容器
４  底板
５  前板
６  後板
７  副前板
８  第１の面
９  第２の面
１０  巻芯
１２  包装媒体
１５  容器本体
２０  蓋本体
２２  蓋板
２３  蓋前板
２４  カッター
２５  切込線
２６  開封片
２７  端
３０  一面
３１  一辺
３２  他の一辺
３４  接着エリア
３５  端
３６  半切り線
３７  ニック
３８  第１の連接辺
３９  第２の連接辺
４０  一辺
４１  接着部
４２、４３  中心
４４  頂点
４５  中心線
４６  一辺
５３  印刷部
５４  矢印
５５  開封開始部
６１、６２、６３、６４  短辺
７１、７２  側面板
７３、７４  蓋側面板
【図１】
0005584593.tif 000002
【図２】
0005584593.tif 000003
【図３】
0005584593.tif 000004
【図４】
0005584593.tif 000005
【図５】
0005584593.tif 000006
【図６】
0005584593.tif 000007